(57)【要約】【課題】  アナログビデオ信号をアナログビデオ入力端子に供給して記録するアナログコピーを禁止できるようにする。【解決手段】  ＩＤ発生回路７により、ビデオ信号の垂直ブランキング期間に、著作権保護情報、カテゴリー情報を有するＩＤ信号を重畳して伝送する。ＩＤ検出回路２０により、ＩＤ信号中の著作権保護情報、カテゴリー情報からコピー禁止かどうかを判断し、コピー禁止の場合には、ビデオ信号又はオーディオ信号の記録を禁止する。【選択図】  図１
2004166302.tif 000002
【特許請求の範囲】
【請求項１】
ビデオ信号の垂直ブランキング期間に、所定ビット長の信号部と上記信号部の前に配置
されたリファレンスビットとからなるＩＤ信号を挿入して伝送し、
上記信号部は、著作権保護情報を有するワードを含むビデオ信号の伝送方法。
【請求項２】
請求項１において、
上記著作権保護情報が第１のビットと第２のビットで表され、
上記第１のビットが著作権の有無を示し、上記第２のビットがオリジナルか否かを示す
ビデオ信号の伝送方法。
【請求項３】
ビデオ信号の垂直ブランキング期間に、所定ビット長の信号部と上記信号部の前に配置
されたリファレンスビットとからなるＩＤ信号が挿入され、上記信号部は、著作権保護情
報を有するワードを含むビデオ信号を記録するビデオ信号の記録装置であって、
記録信号から分離された上記著作権保護情報を使用して、上記記録信号がコピー禁止か
否かを判断し、コピー禁止の場合には、ビデオ信号及びオーディオ信号の少なくとも一方
の記録を禁止するようにしたビデオ信号の記録装置。
【請求項４】
請求項３において、
上記著作権保護情報が第１のビットと第２のビットで表され、
上記第１のビットが著作権の有無を示し、上記第２のビットがオリジナルか否かを示す
ビデオ信号の記録装置。
【発明の詳細な説明】
【技術分野】
【０００１】
この発明は、特に、アナログでのビデオ信号のコピーを禁止するためのビデオ信号の伝
送方法及び記録装置に関する。
【背景技術】
【０００２】
ディジタルＶＴＲでは、ダビングを行っても殆どの音質の劣化が無いことから、著作権
を保護するために、コピーを禁止する必要がある。そこで、ディジタル出力をディジタル
入力に供給してダビングをするディジタルコピーについては、ディジタルデータ中にコピ
ー禁止のビットを立てたり、スクランブルをかけたり等、コピーを禁止するための種々の
方法が提案されている。
【発明の開示】
【発明が解決しようとする課題】
【０００３】
ところが、ディジタルＶＴＲの場合にはアナログコピーでも非常に良質のコピーを行え
るため、ディジタルコピーを禁止しても、アナログ出力をアナログ入力に供給するアナロ
グコピーが可能とされていては、著作権を完全に保護することはできない。
【０００４】
また、ディジタルＶＴＲに入力されるソースには、衛星放送、地上放送、ＶＴＲ、ビデ
オディスク等、種々のものがある。更に、衛星放送にも、有料放送、無料放送があり、著
作権を守るべき放送、著作権を放棄した放送がある。これら、入力されるソースが保護す
るべきかどうかに応じて、コピーの禁止／許可を制御すべきである。
【０００５】
したがって、この発明の目的は、ディジタルＶＴＲのアナログコピーを禁止できるビデ
オ信号の伝送方法及び記録装置を提供することにある。
【０００６】
この発明の他の目的は、入力されるソースが著作権を守るべきかどうかに応じて、アナ
ログコピーの禁止／許可を制御できるビデオ信号の伝送方法及び記録装置を提供すること
にある。
【課題を解決するための手段】
【０００７】
上述した課題を解決するために、この発明は、ビデオ信号の垂直ブランキング期間に、
所定ビット長の信号部と信号部の前に配置されたリファレンスビットとからなるＩＤ信号
を挿入して伝送し、
信号部は、著作権保護情報を有するワードを含むビデオ信号の伝送方法である。
【０００８】
この発明は、ビデオ信号の垂直ブランキング期間に、所定ビット長の信号部と信号部の
前に配置されたリファレンスビットとからなるＩＤ信号が挿入され、信号部は、著作権保
護情報を有するワードを含むビデオ信号を記録するビデオ信号の記録装置であって、
記録信号から分離された著作権保護情報を使用して、記録信号がコピー禁止か否かを判
断し、コピー禁止の場合には、ビデオ信号及びオーディオ信号の少なくとも一方の記録を
禁止するようにしたビデオ信号の記録装置である。
【発明の効果】
【０００９】
この発明によれば、アナログ出力からアナログ入力へ信号を送ってコピーをするアナロ
グコピーを禁止することができる。
【発明を実施するための最良の形態】
【００１０】
以下、この発明の一実施例について図面を参照して説明する。図１は、この発明の一実
施例を示すものである。図１において、３１はディジタルＶＴＲの再生系の構成を示し、
３２はディジタルＶＴＲの記録系の構成を示すものである。今、ディジタルＶＴＲ３１か
らディジタルＶＴＲ３２に、アナログコピーを行うものとする。ディジタルＶＴＲ３１か
らディジタルＶＴＲ３２にアナログコピーを行うために、ディジタルＶＴＲ３１のオーデ
ィオ出力端子１１とディジタルＶＴＲ３２のオーディオ入力端子１５とが接続され、ディ
ジタルＶＴＲ３１のビデオ出力端子１２とディジタルＶＴＲ３２のビデオ入力端子１４と
が接続される。
【００１１】
この発明の一実施例では、垂直ブランキング期間にＩＤ信号を重畳し、このＩＤ信号を
利用して、アナログコピーを禁止するようにしている。始めに、このＩＤ信号について説
明する。
【００１２】
図２及び図３は、ＩＤ信号を説明するための図である。図２に示すように、ＩＤ信号は
、垂直ブランキング期間に挿入される２０ビットの信号である。この２０ビットの信号の
前には、リファレンスビットが設けられる。
【００１３】
２０ビットの信号は、図３に示すように、６ビットのワード０、４ビットのワード１、
４ビットのワード２、６ビットのＣＲＣからなる。ワード０には、基本パラメータ、伝送
形式に関する識別情報が挿入される。ワード１には、著作権の有無、オリジナルかどうか
を示すビットが含められる。たとえばワード１の第３ビットが著作権の有無を示すビット
であり、「０」で著作権の保護あり、「１」で著作権無とされる。ワード１の第４ビット
がオリジナルかどうかを示すビットであり、「０」は指定無、「１」は商業的に発行され
た録音済みソフトウェアとれる。ワード２には、機器のカテゴリーコードが挿入される。
【００１４】
このようなＩＤ信号が設けられていると、このＩＤ信号からコピー禁止かどうかを判断
でき、これに応じて、記録装置の記録動作を制御できる。
【００１５】
図１において、テープ１には、コンポーネントディジタルビデオ信号が圧縮されて記録
されている。このディジタルビデオ信号がテープ２で再生され、データ再生回路３に供給
される。データ再生回路３で、テープ１の記録信号が再生される。この再生信号がオーデ
ィオ再生回路４及びデータ伸長回路５に供給される。データ伸長回路５で、再生されたビ
デオ信号が伸長される。このデータ伸長回路５の出力は、加算回路８に供給される。また
、オーディオ再生回路４で、オーディオ信号が再生される。このオーディオ信号がＤ／Ａ
コンバータ９に供給される。Ｄ／Ａコンバータ９からは、アナログのオーディオ信号が出
力される。このアナログオーディオ信号が出力端子１１から出力される。
【００１６】
また、データ再生回路３の出力がコピーガードビット検出回路６に供給される。コピー
ガードビット検出回路６で、再生しているテープの信号がコピー禁止かどうかが判断され
る。コピーガードビット検出回路６の出力がＩＤ信号発生回路７に供給される。ＩＤ信号
発生回路７は、図２及び図３に示すようなＩＤ信号を発生する。
【００１７】
再生しているテープの信号がコピー禁止なら、ＩＤ信号発生回路７により、ＩＤ信号の
著作権ビットを立てる（著作権ビットを「０」にする）。このＩＤ信号が加算回路８に供
給され、垂直ブランキング期間にＩＤ信号が重畳される。
【００１８】
加算回路８の出力がＤ／Ａコンバータ１０に供給される。Ｄ／Ａコンバータ１０で、ビ
デオ信号がアナログ信号に変換される。このアナログビデオ信号が出力端子１２から出力
される。
【００１９】
出力端子１１からのアナログオーディオ信号及び出力端子１２からのアナログビデオ信
号は、ディジタルＶＴＲ３２のアナログオーディオ入力端子１３及びアナログビデオ入力
端子１４に供給される。入力端子１３からのアナログオーディオ信号がＡ／Ｄコンバータ
１５に供給される。入力端子１４からのアナログビデオ信号がＡ／Ｄコンバータ１６に供
給される。
【００２０】
Ａ／Ｄコンバータ１５で、オーディオ信号がディジタル化される。このＡ／Ｄコンバー
タ１５の出力がオーディオ記録回路１７に供給される。
【００２１】
Ａ／Ｄコンバータ１６で、ビデオ信号がディジタル化される。このＡ／Ｄコンバータ１
６の出力がスクランブル回路１８に供給される。また、このビデオ信号の垂直ブランキン
グ期間の信号から、ＩＤ信号が検出される。このＩＤ信号から、コピーを許可するかどう
かが判断される。
【００２２】
コピー許可の場合には、スイッチ２２がオフ、スイッチ２３がオンとされる。この場合
には、スクランブル回路１８でのスクランブルは行われず、Ａ／Ｄコンバータ１６の出力
は、スクランブル回路１８を介して、ビット圧縮回路１９に供給される。ビット圧縮回路
１９でビデオ信号が圧縮符号化される。このビット圧縮回路１９の出力が加算回路２４に
供給される。また、オーディオ記録回路１７の出力がスイッチ回路２３を介して加算回路
２４に供給される。加算回路２４で、ビデオ信号とオーディオ信号とが合成される。この
加算回路２４の出力がデータ記録回路２５に供給される。データ記録回路２５の出力がヘ
ッド２６に供給され、テープ２７に記録される。
【００２３】
コピー禁止の場合には、スイッチ２２がオン、スイッチ２３がオフとされる。この場合
には、キー発生回路２１からスイッチ２２を介してスクランブル回路１８にキーが供給さ
れ、このキーにより、ビデオ信号にスクランブルがかけられる。このスクランブルがかけ
られたビデオ信号がビット圧縮回路１９に供給される。ビット圧縮回路１９でビデオ信号
が圧縮符号化される。このビット圧縮回路１９の出力が加算回路２４に供給される。ビッ
ト圧縮回路１９の出力が加算回路２４に供給される。一方、スイッチ回路２３はオフなの
で、オーディオ信号はミュートされる。この加算回路２４の出力がデータ記録回路２５に
供給される。データ記録回路２５の出力がヘッド２６に供給され、テープ２７に記録され
る。このように、コピー禁止の場合には、ビデオ信号にスクランブルがかけられ、オーデ
ィオ信号がミュートされてしまう。
【００２４】
このように、この発明の実施例では、アナログ信号によるコピー禁止の制御を行える。
また、複数のソースに応じて、コピー禁止機能を制御することができる。例えば、図４に
示すように、地上放送のチューナ５１、ビデオディスク５２、ＶＴＲ５３、有料有線テレ
ビジョン（チューナ５４、デコーダ５５）、有料衛星放送（チューナ５６、デコーダ５７
）等がＶＴＲ５０にビデオ信号を与えるソースとなる。この場合、ソースがビデオディス
ク５２やＶＴＲ５３の時ばかりでなく、有料有線テレビジョンや有料衛星放送の時につい
ても、コピー禁止とする必要がある。ビデオディスク５２やＶＴＲ５３については、上述
の一実施例と同様に、アナログコピーを禁止することがてきる。また、デコーダ５５及び
デコーダ５７にＩＤ信号を付加する機能を設け、このＩＤ信号の著作権ビットを立てるよ
うにすれば、有料有線テレビジョンや有料衛星放送についてコピー禁止にすることができ
る。更に、コピー禁止の制御について、カテゴリーコードを用いることができる。
【図面の簡単な説明】
【００２５】
【図１】この発明の一実施例のブロック図である。
【図２】この発明の一実施例の説明に用いる波形図である。
【図３】この発明の一実施例の説明に用いる略線図である。
【図４】この発明が適用できるヒデオシステムの一例のブロック図である。
【符号の説明】
【００２６】
７  ＩＤ信号発生回路
１８  スクランブル回路
２１  キー発生回路
【図１】
2004166302.tif 000003
【図２】
2004166302.tif 000004
【図３】
2004166302.tif 000005
【図４】
2004166302.tif 000006